(57)【要約】【課題】ネットワーク上で提供される番組のチャプタに対するコメント情報から、ユーザの嗜好に合致したものを効率よく収集する。【解決手段】第１の端末は、第１のチャプタと番組の識別情報を抽出してネットワークに送信するための抽出手段を備え、第２の端末は、少なくとも１つの第２のチャプタと特定箇所に関するコメント情報の格納先アドレス情報と番組の識別情報を抽出してネットワークに送信するための抽出手段を備え、サーバはチャプタと識別情報とアドレス情報を受信し、チャプタを所定のテーブルによりグループの並びで構成されるデータに変換する変換手段と、変換手段により第１のチャプタから変換された第１のデータと、第２のチャプタから変換された第２のデータとを比較する照合手段とを備え、第１のデータと最も類似する第２のデータから、そのコメント情報の格納先アドレス情報を含む情報を第１の端末へ通知するように構成する。【選択図】図１２
2009049638.tif 000002
【特許請求の範囲】
【請求項１】
所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理システムであって、
前記第１の情報処理端末は、前記第１のチャプタデータと前記所定の番組データを一意に特定するための識別情報を抽出して前記ネットワークに送信するための第１の抽出手段を備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出手段を備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換手段と、
前記第１のチャプタデータから前記変換手段により変換された第１のデータと、前記少なくとも１つの第２のチャプタデータから前記変換手段により変換された少なくとも１つの第２のデータとを比較して照合する照合手段とを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とする情報処理システム。
【請求項２】
前記テーブルは番組のジャンルに応じて設定されることを特徴とする請求項１に記載の情報処理システム。
【請求項３】
前記照合手段においては、前記第１の情報処理端末に格納されたユーザの嗜好情報を参照して特定するデータを決定することを特徴とする請求項１に記載の情報処理システム。
【請求項４】
前記チャプタデータを第１の情報処理端末と第２の情報処理端末とで共通の番組解析手段にて生成することを特徴とする請求項１に記載の情報処理システム。
【請求項５】
所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理方法であって、
前記第１の情報処理端末は、前記第１のチャプタデータと前記所定の番組データを一意に特定するための識別情報を抽出して前記ネットワークに送信するための第１の抽出ステップを備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出ステップを備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換ステップと、
前記第１のチャプタデータから前記変換ステップにより変換された第１のデータと、前記少なくとも１つの第２のチャプタデータから前記変換ステップにより変換された少なくとも１つの第２のデータとを比較して照合する照合ステップとを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とする情報処理方法。
【請求項６】
所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理システムを構成する情報処理装置に実行させるためのコンピュータプログラムであって、
前記第１の情報処理端末は、前記第１のチャプタデータと前記所定の番組データを一意に特定するための識別情報を抽出して前記ネットワークに送信するための第１の抽出ステップを備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出ステップを備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換ステップと、
前記第１のチャプタデータから前記変換ステップにより変換された第１のデータと、前記少なくとも１つの第２のチャプタデータから前記変換ステップにより変換された少なくとも１つの第２のデータとを比較して照合する照合ステップとを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とするプログラム。
【発明の詳細な説明】
【技術分野】
【０００１】
本発明は、通信回線網やネットワーク回線網を介して、番組の内容を識別するための情報であるメタデータを収集する番組メタ情報収集装置、番組メタ情報収集方法、番組メタ情報収集プログラムに関する。
【背景技術】
【０００２】
ハードディスク等の大容量化に伴い、ＴＶ番組を全局録画できるような録画機能を有する製品が市場に登場するようになってきた。このように番組を大量に蓄積できるようになるとユーザは見たい番組の選択に頭を悩ませることになる。そこで例えば特許文献１に開示されているように、番組内容の変化点やシーンチェンジ点から番組の内容的な区切りとなるチャプターを生成して利用することや、特許文献２に開示されているように、番組をすでに視聴したユーザがその番組中の特定のシーンについてのコメントを、シーンの時刻情報とともにネットワーク上に掲載して視聴支援を行う技術が提案されている。
【０００３】
【特許文献１】特開２００６−３２４７７０号公報
【特許文献２】特開２００３−３３９００６号公報
【発明の開示】
【発明が解決しようとする課題】
【０００４】
しかしながら、特許文献１のチャプタはユーザの見たい部分と必ずしも合致しているとは限らないし、特許文献２に開示されているようにネットワーク上にコメントを掲載しただけでは、ユーザはコメントをいちいち確認しなければならない。既に番組を視聴したユーザが複数おり、それらのユーザから異なるシーンにおけるコメントがネットワーク上に掲載される場合や、それがネットワーク上の異なるアドレスに分散して掲載されるような場合には、それらを利用しようとすると非常に手間がかかるという問題があった。
【０００５】
そこで、本発明はユーザ側での番組中の所望のシーンの時刻情報とネットワーク上に提供された番組中のシーンのコメント情報に付された時刻情報とのマッチングをとることによってユーザの手間を大幅に軽減し、効率的にコメント情報の利用を行うことができる。
【課題を解決するための手段】
【０００６】
本発明の第１の情報処理システムは、所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理システムであって、
前記第１の情報処理端末は、前記第１のチャプタデータと前記所定の番組データを一意に特定するための識別情報を抽出して前記ネットワークに送信するための第１の抽出手段を備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出手段を備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換手段と、
前記第１のチャプタデータから前記変換手段により変換された第１のデータと、前記少なくとも１つの第２のチャプタデータから前記変換手段により変換された少なくとも１つの第２のデータとを比較して照合する照合手段とを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とする。
【０００７】
本発明の第１の情報処理方法は、所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理方法であって、
前記第１の情報処理端末は、前記第１のチャプタデータと前記所定の番組データを一意に特定するための識別情報を抽出して前記ネットワークに送信するための第１の抽出ステップを備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出ステップを備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換ステップと、
前記第１のチャプタデータから前記変換ステップにより変換された第１のデータと、前記少なくとも１つの第２のチャプタデータから前記変換ステップにより変換された少なくとも１つの第２のデータとを比較して照合する照合ステップとを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とする。
【０００８】
本発明のプログラムは、所定の番組データ中の特定箇所の第１のチャプタデータを格納する第１の情報処理端末と、少なくとも１の提供者による前記所定の番組データ中の特定箇所の第２のチャプタデータと前記特定箇所に関するコメント情報を格納する第２の情報処理端末と、サーバとがネットワークを介して接続された情報処理システムを構成する情報処理装置に実行させるためのコンピュータプログラムであって、
前記第１の情報処理端末は、前記第１のチャプタデータと前記所定の番組データを一意に特定するための識別情報を抽出して前記ネットワークに送信するための第１の抽出ステップを備え、
前記第２の情報処理端末は、前記少なくとも１つの第２のチャプタデータと前記特定箇所に関するコメント情報の格納先アドレス情報と前記所定の番組データを一意に特定するための識別情報を抽出して前記ネットワークに送信するための第２の抽出ステップを備え、
前記サーバは前記チャプタデータと前記識別情報と前記アドレス情報を受信し、
前記チャプタデータを所定の時間範囲ごとに定められたグループに割り付けるためのテーブルによりグループの並びで構成されるデータに変換する変換ステップと、
前記第１のチャプタデータから前記変換ステップにより変換された第１のデータと、前記少なくとも１つの第２のチャプタデータから前記変換ステップにより変換された少なくとも１つの第２のデータとを比較して照合する照合ステップとを備え、
前記第１のデータと最も類似する前記第２のデータを特定し、
前記第２のデータに変換する前の第２のチャプタデータのコメント情報の格納先アドレス情報を含む情報を前記第１の情報処理端末へ通知することを特徴とする。
【発明の効果】
【０００９】
本発明によれば、ネットワーク上で提供されるコメント情報から、ユーザの番組中の所望のチャプタに応じたコメント情報を効率よく抽出することができる。
【発明を実施するための最良の形態】
【００１０】
以下、図面を参照して本発明を実施するための最良の形態について詳細に説明する。まず、図１を参照すると、本実施の形態の情報処理システム１は、情報処理端末１０、情報処理端末２０、サーバ３０、を備え、それぞれネットワーク４０、例えばインターネットを介して接続されている。情報処理端末１０および情報処理端末２０はそれぞれ図示しない外部より番組を含む信号の入力を受け独自に１又は複数の番組コンテンツを受信して格納し、サーバ３０を介して情報処理端末２０から提供される番組のチャプタコメント情報から最も情報処理端末１０のユーザの嗜好に合致するものが選択され情報処理端末１０へ通知されるものである。情報処理端末１０および情報処理端末２０の数は図１に記載された数に限定されるものではない。
【００１１】
次に図２を参照すると、情報処理端末１０はユーザが使用するパソコンなどの装置であり送受信手段１０６によりネットワーク４０に接続される。情報処理端末１０は、制御部１００及び記憶部１３０を備える。記憶部１３０は制御部１００に接続され、制御部１００の制御によりデータを記憶したり読み出されるものであり、ハードディスクやメモリ等の記憶媒体にて構成される。情報処理端末１０は、図示しない外部より番組を含む信号の入力を受け、これを番組情報として記録手段１０４により記憶部１３０に蓄積する。再生手段１０５は記録部１３０に蓄積された番組等を再生する。
【００１２】
番組解析手段１０２は蓄積された番組から番組名、番組ＩＤ、放送日時、番組時間長、チャンネルに関する情報、字幕情報、映像の場面ごとのシーン等を解析する。
【００１３】
チャプタ情報生成手段１０３は番組解析手段１０２により抽出された番組の場面ごとのシーン等から入出力部１１０からのユーザによる入力にてチャプタを選択する。なお、番組解析手段１０２を使用せずに、ユーザが入出力部１１０から直接チャプタの選択を行なってもよい。
【００１４】
抽出手段１０１は、番組解析手段１０２により解析された番組に関する情報やチャプタ情報生成手段１０３にて生成されたチャプタの時間情報や情報処理端末１０のメールアドレス等のネットワーク上のアクセス情報を抽出する。制御部１００の抽出手段１０１、番組解析手段１０２、チャプタ情報生成手段１０３は情報処理端末１０にあらかじめ構成されていてもよいし、プログラムが格納されたダウンロードファイル１３１をネットワークより受信してインストールすることにより構成されてもよい。
【００１５】
送受信手段１０７はネットワーク４０との送受信をおこなう。
【００１６】
表示制御手段１０６は記憶部１３０に録画された番組等の表示を行なう。録画ファイル（ａ）１３２には番組コンテンツやチャプタの時間情報等が格納されるが詳細については後述する。
【００１７】
次に図３を参照すると、情報処理端末２０は、インターネット上で番組関連情報を提供する事業者が使用するパソコンなどの装置であり送受信手段２０６によりネットワーク４０に接続される。情報処理端末２０は、制御部２００及び記憶部２３０を備える。記憶部２３０は制御部２００に接続され、制御部２００の制御によりデータを記憶したり読み出されるものであり、ハードディスクやメモリ等の記憶媒体にて構成される。情報処理端末２０は、図示しない外部より番組を含む信号の入力を受け、これを番組情報として記録手段２０４により記憶部２３０に蓄積する。再生手段２０５は記録部２３０に蓄積された番組等を再生する。
【００１８】
番組解析手段２０２は蓄積された番組から番組名、番組ＩＤ、放送日時、番組時間長、チャンネルに関する情報、字幕情報、映像の場面ごとのシーン等を解析する。
【００１９】
チャプタ情報生成手段２０３は番組解析手段２０２により抽出された番組の場面ごとのシーン等から入出力部２１０からの提供者による入力にてチャプタを選択する。なお、番組解析手段２０２を使用せずに、提供者が入出力部２１０から直接チャプタの選択を行なってもよい。
【００２０】
抽出手段２０１は、情報処理端末２０からネットワーク４０へ提供すべき情報を抽出するものであり、チャプタ情報生成手段２０３にて生成されたチャプタの時間情報や情報処理端末２０のアクセスアドレス等の情報を抽出する。
【００２１】
制御部２００の抽出手段２０１、番組解析手段２０２、チャプタ情報生成手段２０３は情報処理端末１０にあらかじめ構成されていてもよいし、プログラムが格納されたダウンロードファイル２３１をネットワーク４０より受信してインストールすることにより構成されてもよい。録画ファイル（ｂ）２３２には番組コンテンツやチャプタの時間情報やチャプタコメント等が格納されるが詳細については後述する。
【００２２】
次に図４を参照すると、サーバ３０は、送受信手段３０６によりネットワーク４０に接続されている。サーバ３０は、制御部３００及び記憶部３３０を備える。記憶部３３０は制御部３００に接続され、制御手段３００の制御によりデータを記憶したり読み出されるものであり、ハードディスクやメモリ等の記憶媒体にて構成される。制御部３００は記憶部３３０や図示しない記憶手段に格納されたプログラムを読み込み、このプログラムを実行することにより量子化手段３０１、照合手段３０２、アドレス管理手段３０３を論理的に備えてもよい。
【００２３】
量子化手段３０１は、ネットワーク４０を介して受信した情報処理端末１０および情報処理端末２０から抽出して送信された番組コンテンツのチャプタ時間情報を、記憶部３３０に予め記録された量子化マップテーブル３３４を参照してチャプタ構成情報に変換して録画ファイル（Ａ）３３２、録画ファイル（Ｂ）３３３に格納するが詳細は後述する。
【００２４】
照合手段３０２は量子化手段３０１により生成されたチャプタ構成情報を比較照合する。
【００２５】
アドレス管理手段はネットワーク４０を介して情報処理端末１０および情報処理端末２０から抽出して送信されたユーザ端末１０および情報処理端末２０から抽出して送信されたアドレス情報を管理する。
【００２６】
制御部３００はプロセッサ等により構成される。なお、ダウンロードファイル３３１はサーバ３０に格納しておき、情報処理端末１０や情報処理端末２０へネットワークを介して提供してもよい。
【００２７】
次に図５を参照して、情報処理端末１０に格納された録画ファイル（ａ）１３２の生成について説明する。情報処理端末１０で録画した番組が番組５１であり、番組解析情報手段１０２により番組ＩＤ５０、番組時間長、字幕情報、映像の場面ごとのシーン等を抽出し、字幕情報を含む抽出したシーン等の中から、ユーザによる入出力部１１０からの選択にてチャプタ情報生成手段１０３によりチャプタ先頭時間データ５２が生成される。また、録画した番組５１を再生視聴しながら、ユーザの入力部１１０からの入力により直接にチャプタ先頭時間データ５２を生成してもよい。先頭時間データ５２から図示しない制御部１００を構成するプロセッサ等の演算機能よりチャプタの差分時間データ５３を生成する。このようにして番組ＩＤ５２、番組時間長、チャプタ数（４つ）、チャプタ差分時間データ５３、および情報処理端末１０のメール情報等のアクセス情報から成る録画ファイル（ａ）１３２を生成する。
【００２８】
次に図６を参照して、情報処理端末２０に格納された録画ファイル（ｂ）２３２の生成について説明する。情報処理端末２０で録画した番組内容から、番組中の特定のシーンに対する説明のコメントを作成することにより、ユーザがそのコメントにより見たいシーンを判別できるようにして、効率的に番組の視聴をサポートできることが好ましい。
【００２９】
まず情報処理端末２０で録画した番組が番組６１であれば、番組解析情報手段２０２により番組ＩＤ６０、番組時間長、字幕情報、映像の場面ごとのシーン等を抽出し、字幕情報を含む抽出したシーン等の中から、提供者の入出力部２１０からの入力にて、ユーザの見たいシーンや興味のあるシーンであると想定されるチャプタ先頭時間データ６２を生成してもよい。また、録画した番組６１を再生視聴しながら、提供者の入力部２１０からの選択により直接にチャプタ先頭時間データ６２を生成してもよい。さらに提供者にてチャプタ毎に解説コメントデータ６４を「コメント１」〜「コメント４」のように作成して格納する。そしてチャプタ先頭時間データ６２から図示しない制御部２００を構成するプロセッサ等の演算機能よりチャプタの差分時間データ６３を生成する。このようにして番組ＩＤ６２、番組時間長、チャプタ数（４つ）、チャプタ差分時間データ６３、解説コメントデータ６４および情報処理端末２０のメール情報等のアクセス情報から成る録画ファイル（ｂ）２３２を生成する。なお、解説コメントデータ６４を別ファイルとして独立したアクセスアドレスを備えておくことにより、解説コメントデータ６４を単独にアクセスできるようにしてもよい。
【００３０】
次に図７において、量子化マップテーブル３３４について説明する。量子化とは、ばらつきのあるデータを所定の範囲ごとを代表するデータに置き換えて、ばらつきを所定の範囲で収束させる手法である。まず、情報処理端末１０において生成されたチャプタ情報を各時間範囲を代表する量子化範囲時間である（０〜１）、（１〜３）、（３〜５）、（５〜７）、（７〜１０）、（１０〜１５）に対してそれぞれを代表するデータである量子化値をＡ、Ｂ、Ｃ、Ｄ、Ｅ、Ｆとする。量子化範囲時間の設定については例えば、ニュースやバラエティなどの比較的短時間の内容的にまとまったシーンの切れ目が存在する番組においては、比較的短時間の量子化値を設定してもよい。また、ドラマ等の比較的長時間の内容的にまとまったシーンの切れ目が存在する番組においては比較的長時間の量子化値を設定してもよい。
【００３１】
次に、図８は情報処理端末１０の録画ファイル（ａ）１３２に対して図７の量子化マップテーブルを適用した例である。チャプタ差分時間データ５３に対して該当する時間範囲の量子化値を当てはめると、Ａ−Ｃ−Ｂ−Ｆのチャプタ構成データとなる。
【００３２】
図９は情報処理端末２０が複数ある場合に、同じ番組ＩＤである０１の番組に対して異なるチャプタが設定されている時の例である。図８と同様に図７の量子化マップテーブルを適用すると（１）、（２）、（３）のチャプタ構成データとなり、図８の録画ファイル（Ａ）３３２のチャプタ構成データと同じパターンになるのは（３）である。
【００３３】
次に図１０においては、量子化処理後のチャプタ構成データを含むデータの比較についての説明を行う。第１は完全一致のパターンである。第２はチャプタ構成において１文字のみ異なるパターンであり、第３は複数の文字が異なる場合である。
【００３４】
第１の完全一致のパターンにおいては、同じ番組、同じ番組の時間長、同じチャプタ数、量子化処理後のチャプタ構成がそれぞれ同じ場合である。このためには情報処理端末１０および情報処理端末２０にて構成される番組解析手段１０２、２０２による番組のシーン検出傾向が同様であり、共通のシーンの中から情報処理端末１０および情報処理端末２０にて選択されたシーンによりチャプタ情報が生成されるように行われるのが一致の確度が向上するので望ましい。
【００３５】
次に、第２の１文字だけが異なるパターンであるが、チャプタ構成データ中のどれかの１文字が異なる。このケースでは楕円で示す（Ａ、Ｂ）や（Ｂ，Ｃ）のような量子化範囲時間の近い量子化値にて異なり、さらには不一致の位置がユーザの特に見たい位置とは異なっている方を一致の優先度として高く設定することが好ましい。このためには情報処理端末１０の録画ファイル（ａ）１３２に番組コンテンツのどの部分（前半、中盤、終盤）に興味があるかの情報を格納してサーバ３０における照合時に利用できるようにしてもよい。
【００３６】
第３は複数の文字が異なる場合であるが、ここでは２文字が異なる場合を説明する。この２文字は隣り合っており楕円で示す（Ｂ-Ｆ、Ｆ-Ｂ）のようにチャプタ構成が入れ替わっているケースでは２文字の時間長が前後で変わらないので、一致の優先度として高く設定することが好ましい。チャプタ構成データの比較においては、不一致の文字が少ない方を優先度として高く設定するのは当然である。
【００３７】
次に、図１１によりサーバ３０によりネットワークを介して情報処理端末１０および情報処理端末２０からの録画ファイル（ａ）１３２、録画ファイル（ｂ）２３２を受信して量子化処理を行い、量子化後のデータを比較し、一致度の評価を行い、優先度の高い所定のレベルのデータを選択する処理を説明する。サーバ３０にてネットワーク４０より受信した情報処理端末１０、情報処理端末２０からの録画ファイルに含まれるチャプタの差分時間を図８および９のチャプタ構成データに変換する（ステップＳ１）。次に情報処理端末１０から生成された図８のチャプタ構成データと情報処理端末２０から生成された図９のチャプタ構成データとを比較する（ステップＳ２）。次に比較した結果により図１０で述べた一致度の評価を行う（ステップＳ３）。そして図１０で説明したように優先度を判定して優先度の高いチャプタ構成データを選択する（ステップＳ４）。そして選択されたデータの提供元である情報処理端末２０のアクセス情報を情報処理端末１０へ通知する。このアクセス情報は解説コメントデータを独立したファイルとしてアクセスできるようにしてもよい。また、情報処理端末１０への通知のしかたについては、一致度の評価において所定のレベルに達していないと判定される場合は、情報処理端末１０に対して該当する情報処理端末２０情報はないと判定する場合は「該当情報なし」と通知してもよい。
【００３８】
次に、図１２を参照して、シーケンスチャートにより情報処理端末１０と情報処理端末２０とサーバ３０との動作を説明する。まず、本実施形態の情報処理システムを構築するにあたり、サーバ３０の運用者がサーバ３０を立ち上げる。具体的には、情報処理端末１０や情報処理端末２０がアクセス可能なＷｅｂサイトを立ち上げる。このサイトに情報処理端末１０、２０がアクセスして制御部１００、２００の必要な構成手段を構成するためのプログラムであるダウンロードファイルをダウンロードしてもよい（Ｓ１、Ｓ２）。
【００３９】
次に、情報処理端末１０の記憶部１３０に格納された録画ファイル（ａ）１３２から抽出手段１０１により番組ＩＤ、チャプタ数、番組時間長、チャプタ差分時間および情報処理端末１０のアドレス情報が抽出されネットワーク４０を介してサーバ３０へ送信される（Ｓ３）。情報処理端末２０では、例えば複数の提供者ごとに情報処理端末２０が所持されていれば、提供者ごとの情報処理端末２０に格納された録画ファイル（ｂ）、（ｃ）、（ｄ）からそれぞれの抽出手段２０１ごとにより各録画ファイルの番組ＩＤ、チャプタ数、番組時間長、チャプタ差分時間および解説コメントデータの格納先アドレス情報が抽出されネットワーク４０を介してサーバ３０へ送信される（Ｓ４）。
【００４０】
次にサーバ３０においては、番組のジャンルに応じてあらかじめ用意されている量子化マップテーブル３３４により各番組ＩＤより最適な量子化マップテーブルにより各チャプタ差分時間をチャプタ構成情報に変換する。そして情報処理端末１０より受信したチャプタ差分時間から変換されたチャプタ構成情報と、各提供者の情報処理端末２０から受信したチャプタ差分時間から変換されたチャプタ構成情報とを同じ番組ＩＤごとにチャプタ数、番組時間長も含めて照合手段３０２により比較照合し一致度の最も高い提供者からのチャプタ構成情報を選択し、そこから解説コメントデータの格納先アドレス情報と番組ＩＤを抽出する。そしてアドレス管理手段３０３により抽出した解説コメントデータの格納先アドレス情報と番組ＩＤを情報処理端末１０へ送信する（Ｓ５）。
【００４１】
情報処理端末１０ではサーバ３０より受信した解説コメントデータの格納先アドレス情報へ直接アクセスして、格納された解説コメント情報を入手することができる（Ｓ６）。
【図面の簡単な説明】
【００４２】
【図１】本発明の実施形態のシステムの構成について説明するためのブロック図である。
【図２】本発明の実施形態の情報処理端末１０の構成について説明するためのブロック図である。
【図３】本発明の実施形態の情報処理端末２０の構成について説明するためのブロック図である。
【図４】本発明の実施形態のサーバの構成について説明するためのブロック図である。
【図５】本発明の実施形態の情報処理端末１０に格納された番組の録画ファイルを説明するための図である。
【図６】本発明の実施形態の情報処理端末２０に格納された番組の録画ファイルを説明するための図である。
【図７】本発明の実施形態の量子化マップテーブルについて説明するための図である。
【図８】本発明の実施形態の情報処理端末１０に格納されたデータの量子化処理後のデータを説明するための図である。
【図９】本発明の実施形態の情報処理端末２０に格納されたデータの量子化処理後の図である。
【図１０】本発明の実施形態のデータの一致の判定動作を説明するための図である。
【図１１】本発明の実施形態の動作を説明するためのフローチャートである。
【図１２】本発明の実施形態の動作を説明するためのシーケンスチャートである。
【符号の説明】
【００４３】
１０、２０  情報処理端末
３０  サーバ
４０  ネットワーク
５０、６０  番組ＩＤ
５１、６１  番組コンテンツ
５２、６２  チャプタ先頭時間データ
５３、６３  チャプタ差分時間データ
６４  解説コメントデータ
１００、２００、３００  制御部
１０１、２０１  抽出手段
１０２、２０２  番組解析手段
１０３、２０３  チャプタ情報生成手段
１０４、２０４、３０４  記録手段
１０５、２０５、３０５  再生手段
１０６、２０６、３０６  送受信手段
１０７、２０７、３０７  表示制御手段
１１０、２１０、３１０  入出力部
１２０、２２０、３２０  表示部
１３０、２３０、３３０  記憶部
３０１  量子化手段
３０２  照合手段
３０３  アドレス管理手段
【図１】
2009049638.tif 000003
【図２】
2009049638.tif 000004
【図３】
2009049638.tif 000005
【図４】
2009049638.tif 000006
【図５】
2009049638.tif 000007
【図６】
2009049638.tif 000008
【図７】
2009049638.tif 000009
【図８】
2009049638.tif 000010
【図９】
2009049638.tif 000011
【図１０】
2009049638.tif 000012
【図１１】
2009049638.tif 000013
【図１２】
2009049638.tif 000014